【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
第１の外部装置からオーディオ信号とオーディオステータス情報を受信し、前記オーディオ信号及び前記オーディオステータス情報を無線接続で送信する音声源と、
前記音声源から前記オーディオ信号および前記オーディオステータス情報を受信し、第２の外部装置へ前記オーディオ信号及び前記オーディオステータス情報を伝達する少なくとも１つのオーディオシンクと、を備え、
前記少なくとも１つのオーディオシンクのうち、特定の１つが、前記第２の外部装置からオーディオ制御情報を受信し、前記無線接続を介して前記オーディオ制御情報を前記音声源に送信し、
前記無線接続が、複数の利用可能なチャンネルのうち特定の１つを使用し、
前記音声源が、
前記第１の外部装置と通信する、それぞれ前記オーディオ信号及び前記オーディオステータス情報を含有する複数のソース送信パケットを作成し、前記オーディオシンクへの送信の前に複数の前記ソース送信パケットを格納するソースパケットフォーマッタ及びソースバッファ、
前記ソースパケットフォーマッタ及び前記ソースバッファと通信する、前記ソースバッファから複数の前記ソース送信パケットを受信し、定義された単位時間毎に前記オーディオシンクへ複数の前記ソース送信パケットを送信するソース送信器、
前記ソース送信器と通信し、前記ソース送信器のために前記単位時間を定義するソースオーディオ同期装置、
前記オーディオシンクから、複数のシンク送信パケットの形式を成す前記オーディオ制御情報を受信し、定義された各前記単位時間内の受信及び送信を調整するために前記ソース送信器と通信するソース受信器、
前記ソース受信器と通信して、複数の前記シンク送信パケットを受信し、前記オーディオ制御情報を抽出するソースパケットデフォーマッタ、及び、
前記ソースパケットデフォーマッタ及び前記ソース送信器と通信し、複数の前記利用可能なチャンネルのうち、前記特定の１つのチャンネルをモニタリングするソースチャンネル品質モニタを備えるワイヤレスオーディオシステム。
【請求項２】
前記オーディオ信号が、デジタル及びアナログを含むグループから得られる
請求項１に記載のワイヤレスオーディオシステム。
【請求項３】
前記第１の外部装置が、コンパクトディスク（ＣＤ）プレーヤ、ＭＰ３プレーヤ及びミニディスクプレーヤを含むグループから得られる
請求項２のワイヤレスオーディオシステム。
【請求項４】
前記第２の外部装置が、ヘッドホン及びリモートコントロールを含むグループから得られる請求項２のワイヤレスオーディオシステム。
【請求項５】
前記オーディオステータス情報が、歌のタイトル、歌手及び歌の番号を含むグループから得られる請求項１のワイヤレスオーディオシステム。
【請求項６】
前記オーディオ制御情報が、再生、停止、巻戻し、早送り、スキップ、及びポーズを含むグループから得られるコマンドを含む請求項１のワイヤレスオーディオシステム。
【請求項７】
前記無線接続が、ラジオ周波数接続である請求項１のワイヤレスオーディオシステム。
【請求項８】
前記無線接続が、赤外線接続である請求項１のワイヤレスオーディオシステム。
【請求項９】
前記ラジオ周波数接続が、時分割二重ラジオ周波数接続である
請求項７のワイヤレスオーディオシステム。
【請求項１０】
前記オーディオシンクが、
定義された単位時間毎に前記音声源から、複数の前記ソース送信パケットを受信するシンク受信器、
前記シンク受信器と通信する、それぞれ、前記ソース送信パケットから前記オーディオ信号及び前記オーディオステータス情報を抽出し、抽出された前記オーディオ信号及び前記オーディオステータス情報を格納するシンクパケットデフォーマッタ及びシンクバッファ、
前記シンク受信器と通信し、前記シンク受信器のために前記単位時間を定義するシンクオーディオ同期装置、
前記第２の外部装置と通信し、前記オーディオ制御情報を含有する複数の前記シンク送信パケットを作成するシンクパケットフォーマッタ、
前記シンクパケットフォーマッタと通信して複数の前記シンク送信パケットを送信するシンク送信器、及び、
前記シンクパケットデフォーマッタ及び前記シンクバッファ、また前記シンク受信器と通信し、複数の前記利用可能なチャンネルのうち、特定の使用中の１つをモニタリングするシンクチャンネル品質モニタを備え、
前記シンク受信器が前記シンク送信器と通信して、定義された前記単位時間のうち特定の単位時間内の前記受信及び前記送信を協調させる
請求項９に記載のワイヤレスオーディオシステム。
【請求項１１】
アナログオーディオ信号が前記第１の外部装置から提供される場合、前記ワイヤレスオーディオシステムが、前記第１の外部装置と通信するアナログデジタル変換器（ＡＤＣ）をさらに備え、
前記ソースオーディオ同期装置によって生成されたソースオーディオサンプリングクロック信号が、前記ＡＤＣに与えられる
請求項１０に記載のワイヤレスオーディオシステム。
【請求項１２】
アナログオーディオ信号が前記第２の外部装置によって要求される場合、前記ワイヤレスオーディオシステムが、デジタルアナログ変換器（ＤＡＣ）をさらに備え、
前記シンクオーディオ同期装置によって生成されたシンクオーディオサンプリングクロック信号が、前記ＤＡＣに与えられる
請求項１１に記載のワイヤレスオーディオシステム。
【請求項１３】
前記ＡＤＣと通信し、前記ＡＤＣによって出力されたデジタルオーディオ信号を圧縮する圧縮モジュールをさらに備える請求項１２のワイヤレスオーディオシステム。
【請求項１４】
前記シンクパケットデフォーマッタ及び前記シンクバッファと通信し、前記シンクバッファから受信された前記デジタルオーディオ信号を復元する復元モジュールをさらに備える請求項１３に記載のワイヤレスオーディオシステム。
【請求項１５】
定義された前記単位時間が、伝送スーパーフレーム間隔（ＴＳＦ＿間隔）である請求項１０に記載のワイヤレスオーディオシステム。
【請求項１６】
複数の前記ソース及び前記シンク送信パケットのうち特定のパケットが、特定のＴＳＦ＿間隔内に含まれ、
前記ＴＳＦ＿間隔が、アイドル期間をさらに含む請求項１５に記載のワイヤレスオーディオシステム。
【請求項１７】
複数の前記シンク送信パケットのうち特定のシンク送信パケットが、複数の前記ソース送信パケットのうち特定の１つが前記シンク受信器によって既に受信されたという確認応答をさらに含み、
前記確認応答が、データシーケンス番号（ＤＳＮ）を含み、
前記ＤＳＮが、複数の前記シンク送信パケット内の、前記特定のシンク送信パケットに関連するオーバヘッド部分に含まれる請求項１０に記載のワイヤレスオーディオシステム。
【請求項１８】
連続するＤＳＮ番号が前記ソース受信器によって受信された場合、前記ソースパケットフォーマッタ及び前記ソースバッファが、複数の前記ソース送信パケットのうち次の１つのパケットを送信する
請求項１７に記載のワイヤレスオーディオシステム。
【請求項１９】
複数の前記ソース送信パケットのうち特定の１つが前記シンク受信器によって受信されなかった場合、連続しないＤＳＮが前記ソース受信器によって受信され次第、複数の前記ソース送信パケットのうち前記特定の１つが再送信される
請求項１８に記載のワイヤレスオーディオシステム。
【請求項２０】
前記ＴＳＦ＿間隔が、４ｍ／秒であり、
複数の前記ソース及び前記シンク送信パケットが、２．４Ｍｂ／ｓのビットレートで受信され、
前記オーディオサンプリングクロック信号が、４４．１ＫＨｚである
請求項１５に記載のワイヤレスオーディオシステム。
【請求項２１】
複数の前記利用可能なチャンネルのうち特定の使用中の１つが悪化しているという指示を前記ソースチャンネル品質モニタから受信し次第、前記ソースオーディオ同期装置が、前記ＴＳＦ＿間隔を短くするよう前記ソースチャンネル品質モニタによって指示され、
短くされた前記ＴＳＦ＿間隔が、複数の前記ソース送信パケットのうち特定のパケットに関連するオーバヘッド部分に含まれて前記オーディオシンクへ伝達される
請求項１５に記載のワイヤレスオーディオシステム。
【請求項２２】
前記ソースオーディオサンプリングクロック信号に同期する基準周波数が、複数の前記ソース送信パケットのうち、特定の１つの中に含まれ、
複数の前記ソース送信パケットのうち、前記特定の１つが前記シンク受信器によって受信され次第、前記基準周波数が、前記シンクオーディオサンプリングクロック信号を生成する前記シンクオーディオ同期装置へ転送される
請求項１２に記載のワイヤレスオーディオシステム。
【請求項２３】
前記音声源に関連する前記圧縮モジュール、及び前記シンクに関連する復元モジュールが、不可逆圧縮モジュールである請求項１４に記載のワイヤレスオーディオシステム。
【請求項２４】
前記音声源に関連する前記圧縮モジュール、及び前記シンクに関連する復元モジュールが、可逆圧縮モジュールである請求項１４に記載のワイヤレスオーディオシステム。
【請求項２５】
前記ソースチャンネル品質モニタが、複数の前記利用可能なチャンネルのリストを含む好ましいチャンネルシーケンス（ＰＣＳ）を維持し、
複数の前記利用可能なチャンネルのうち前記特定の使用中の１つに関連する品質測定値が所定のしきい値以下に落ちた場合、前記ソースチャンネル品質モニタが、前記ＰＣＳの中の次のチャンネルへ切り替える請求項２１に記載のワイヤレスオーディオシステム。
【請求項２６】
前記品質測定値が、複数の前記利用可能なチャンネルのうち前記特定の使用中の１つに関連する所定の信号エネルギーレベルである請求項２５に記載のワイヤレスオーディオシステム。
【請求項２７】
前記品質測定値が、前記ソースバッファに関連する所定のレベルである請求項２５に記載のワイヤレスオーディオシステム。
【請求項２８】
複数の前記シンク送信パケットのうち特定のシンク送信パケットが、複数の前記ソース送信パケットのうち特定の１つが前記シンク受信器によって既に受信されたという確認応答をさらに含み、
前記品質測定値が、紛失した前記確認応答の所定の数である請求項２５に記載のワイヤレスオーディオシステム。
【請求項２９】
前記音声源から前記オーディオシンクまでの無線接続を確立するに先立って、前記ソースチャンネル品質モニタが、前記ＰＣＳをスキャンし、複数の前記利用可能なチャンネルより好ましい１つのチャンネルを決定する請求項２５に記載のワイヤレスオーディオシステム。
【請求項３０】
一旦前記音声源から前記オーディオシンクまでの無線接続が確立されれば、前記音声源が、複数の前記利用可能なチャンネルの前記リストを周期的に再スキャンして、最新のリストが必要かどうかを決定する請求項２５に記載のワイヤレスオーディオシステム。
【請求項３１】
前記品質測定値が、複数の前記利用可能なチャンネルのうち前記特定の使用中の１つに関連する所定の信号エネルギーレベル及び前記ソースバッファに関連する所定のレベルの組合せである請求項２５に記載のワイヤレスオーディオシステム。
【請求項３２】
所定の前記信号エネルギーレベルが高く、所定の前記ソースバッファレベルが悪化している場合、前記ＴＳＦ＿間隔が短くされ、
複数の前記利用可能なチャンネルのうち前記特定の使用中の１つが悪化し続ける場合、前記ＰＣＳ中の前記次のチャンネルが選択される請求項３１に記載のワイヤレスオーディオシステム。
【請求項３３】
複数の前記利用可能なチャンネルのうち前記特定の使用中の１つに関連する品質測定値が所定のしきい値以上である場合、前記ソース送信器に関連する電力出力が低減される請求項１０に記載のワイヤレスオーディオシステム。
【請求項３４】
音声源が、
第１の外部装置と通信する、それぞれ、オーディオ信号及びオーディオステータス情報を含有する複数のソース送信パケットを作成し、オーディオシンクへの送信の前に複数の前記ソース送信パケットを格納するソースパケットフォーマッタ及びソースバッファ、
前記ソースパケットフォーマッタ及び前記ソースバッファと通信する、前記ソースバッファから複数の前記ソース送信パケットを受信し、定義された単位時間毎に前記オーディオシンクへ複数の前記ソース送信パケットを送信するソース送信器、
前記ソース送信器と通信する、前記ソース送信器のために前記単位時間を定義するソースオーディオ同期装置、
前記オーディオシンクから、複数のシンク送信パケットの形式を成すオーディオ制御情報を受信し、前記ソース送信器と通信して、定義された各前記単位時間内の受信及び送信を協調させるソース受信器、
前記ソース受信器と通信して、複数の前記シンク送信パケットを受信し、前記オーディオ制御情報を抽出するソースパケットデフォーマッタ、及び、
前記ソースパケットデフォーマッタ及び前記ソース送信器と通信し、複数の利用可能なチャンネルのうち、特定の１つのチャンネルをモニタリングするソースチャンネル品質モニタを備えるワイヤレスオーディオシステム。
【請求項３５】
オーディオシンクが、
定義された単位時間毎に音声源からオーディオ信号及びオーディオステータス情報を含む複数のソース送信パケットを受信するシンク受信器、
前記シンク受信器と通信する、それぞれ、前記ソース送信パケットから前記オーディオ信号及び前記オーディオステータス情報を抽出し、抽出された前記オーディオ信号及び前記オーディオステータス情報を格納するシンクパケットデフォーマッタ及びシンクバッファ、
前記シンク受信器と通信する、前記シンク受信器のために前記単位時間を定義するシンクオーディオ同期装置、
第２の外部装置と通信し、オーディオ制御情報を含む複数のシンク送信パケットを作成するシンクパケットフォーマッタ、
前記シンクパケットフォーマッタと通信して複数の前記シンク送信パケットを送信するシンク送信器、及び、
前記シンクパケットデフォーマッタ及び前記シンクバッファ、また前記シンク受信器と通信し、複数の利用可能なチャンネルのうち、特定の１つをモニタリングするシンクチャンネル品質モニタを備え、
前記シンク受信器が前記シンク送信器と通信して、定義された前記単位時間のうち特定の単位時間内の前記受信及び前記送信を協調させるワイヤレスオーディオシステム。
【請求項３６】
前記第１の外部装置が、コンパクトディスク（ＣＤ）プレーヤ、ＭＰ３プレーヤ及びミニディスクプレーヤを含むグループから得られる請求項３４のワイヤレスオーディオシステム。
【請求項３７】
前記第２の外部装置が、ヘッドホン及びリモートコントロールを含むグループから得られる請求項３５のワイヤレスオーディオシステム。
【請求項３８】
アナログオーディオ信号が前記第１の外部装置から提供される場合、前記ワイヤレスオーディオシステムが、前記第１の外部装置と通信するアナログデジタル変換器（ＡＤＣ）をさらに備え、
前記ソースオーディオ同期装置によって生成されたソースオーディオサンプリングクロック信号が、前記ＡＤＣに与えられる請求項３６に記載のワイヤレスオーディオシステム。
【請求項３９】
アナログオーディオ信号が前記第２の外部装置によって要求される場合、前記ワイヤレスオーディオシステムが、デジタルアナログ変換器（ＤＡＣ）をさらに備え、
前記シンクオーディオ同期装置によって生成されたシンクオーディオサンプリングクロック信号が、前記ＤＡＣに与えられる請求項３７に記載のワイヤレスオーディオシステム。
【請求項４０】
前記ＡＤＣと通信し、前記ＡＤＣによって出力されたデジタルオーディオ信号を圧縮する圧縮モジュールをさらに備える請求項３８のワイヤレスオーディオシステム。
【請求項４１】
前記シンクパケットデフォーマッタ及び前記シンクバッファと通信し、前記シンクバッファから受信された前記デジタルオーディオ信号を復元する復元モジュールをさらに備える請求項３９に記載のワイヤレスオーディオシステム。
【請求項４２】
外部装置と通信する、それぞれ、送信オーディオ信号及びオーディオステータス情報を含有する複数の送信パケットを作成し、送信の前に複数の前記ソース送信パケットを格納するパケットフォーマッタ及びバッファ、
前記パケットフォーマッタ及び前記バッファと通信する、前記バッファから複数の前記送信パケットを受信し、定義された単位時間毎に複数の前記送信パケットを送信する送信器、
前記送信器と通信する、前記送信器のために前記単位時間を定義するオーディオ同期装置、
複数の受信パケットの形式を成す受信オーディオ信号及びオーディオ制御情報を受信し、前記送信器と通信して、定義された各前記単位時間内の前記受信及び送信を協調させる受信器、
前記受信器及び前記外部の装置と通信して、複数の前記受信パケットを受信し、前記受信オーディオ信号及び前記オーディオ制御情報を抽出するパケットデフォーマッタ及びバッファ、並びに、
前記パケットデフォーマッタ及び前記バッファ、また前記送信器と通信し、複数の利用可能なチャンネルのうち、特定の１つのチャンネルをモニタリングするチャンネル品質モニタを備え、
アナログオーディオ信号が前記外部装置から提供される場合、前記外部装置と通信するアナログデジタル変換器（ＡＤＣ）をさらに備え、前記オーディオ同期装置によって生成されたオーディオサンプリングクロック信号が、前記ＡＤＣに与えられ、
アナログオーディオ信号が前記外部装置によって要求される場合、前記パケットデフォーマッタ及び前記バッファと通信するデジタルアナログ変換器（ＤＡＣ）をさらに備え、前記オーディオサンプリングクロック信号が、前記ＤＡＣに与えられる双方向ワイヤレスオーディオシステム。
【請求項４３】
前記外部装置が携帯電話である請求項４２に記載の双方向ワイヤレスオーディオシステム。
【請求項４４】
前記外部装置がワイヤレスヘッドセットである請求項４２に記載の双方向ワイヤレスオーディオシステム。